【手続補正書】
【提出日】平成16年12月8日(2004.12.8)
【手続補正１】
【補正対象書類名】明細書
【補正対象項目名】特許請求の範囲
【補正方法】変更
【補正の内容】
【特許請求の範囲】
【請求項１】
複数の識別情報を可変表示可能な可変表示装置と、前記可変表示装置の表示制御を行う表示制御手段とを備え、所定条件の成立に基づき前記可変表示装置上で識別情報を可変表示した後に可変表示を停止して複数の識別情報を停止表示する表示遊技を実行し、該表示遊技の実行結果の表示態様が予め定めた識別情報の組み合わせである特別停止結果態様になった場合に、所定の遊技価値を遊技者に付与可能な特別遊技状態を発生する遊技機において、
普通図柄始動条件の成立に基づいて識別情報を変動表示可能な普通図柄表示装置と、前記可変表示装置における表示状態を遊技者にとって不利な表示態様から前記特別停止結果態様に移行させるための表示制御を行う図柄移行制御手段とを備え、
前記表示制御手段は、前記表示遊技をリーチ態様から開始する場合および、前記表示遊技を継続してリーチ態様から開始する場合を有し、
前記図柄移行制御手段は、前記可変表示装置における表示状態がリーチ態様から前記不利な表示態様になったとき、前記可変表示装置の表示領域全体を所定数の断片に分割可能な分割隠蔽図柄によって隠蔽し、その後、前記普通図柄表示装置における変動表示の結果として前記分割隠蔽図柄の分割数と等しい数値を表す図柄が表示されたことを条件に、前記分割隠蔽図柄を消滅させ、その背後から現われた識別情報によって前記可変表示装置における表示態様を前記特別停止結果態様に移行させる
ことを特徴とする遊技機。
【請求項２】
複数の識別情報を可変表示可能な可変表示装置と、前記可変表示装置の表示制御を行う表示制御手段とを備え、所定条件の成立に基づき前記可変表示装置上で識別情報を可変表示した後に可変表示を停止して複数の識別情報を停止表示する表示遊技を実行し、該表示遊技の実行結果の表示態様が予め定めた識別情報の組み合わせである特別停止結果態様になった場合に、所定の遊技価値を遊技者に付与可能な特別遊技状態を発生する遊技機において、
普通図柄始動条件の成立に基づいて識別情報を変動表示可能な普通図柄表示装置と、前記可変表示装置における表示状態を遊技者にとって不利な表示態様から前記特別停止結果態様に移行させるための表示制御を行う図柄移行制御手段とを備え、
前記表示制御手段は、前記表示遊技をリーチ態様から開始する場合および、前記表示遊技を継続してリーチ態様から開始する場合を有し、
前記図柄移行制御手段は、前記可変表示装置における表示状態がリーチ態様から前記不利な表示態様になったとき、前記不利な表示態様に係わる図柄の表示箇所を所定数の断片に分割可能な分割隠蔽図柄によって隠蔽し、その後、前記普通図柄表示装置における変動表示の結果として前記分割隠蔽図柄の分割数と等しい数値を表す図柄が表示されたことを条件に、前記分割隠蔽図柄を消滅させるとともにその背後から現われた表示領域で再変動表示を行って前記可変表示装置における表示態様を前記特別停止結果態様に移行させる
ことを特徴とする遊技機。
【請求項３】
複数の識別情報を可変表示可能な可変表示装置と、前記可変表示装置の表示制御を行う表示制御手段とを備え、所定条件の成立に基づき前記可変表示装置上で識別情報を可変表示した後に可変表示を停止して複数の識別情報を停止表示する表示遊技を実行し、該表示遊技の実行結果の表示態様が予め定めた識別情報の組み合わせである特別停止結果態様になった場合に、所定の遊技価値を遊技者に付与可能な特別遊技状態を発生する遊技機において、
普通図柄始動条件の成立に基づいて識別情報を変動表示可能な普通図柄表示装置と、前記可変表示装置における表示状態を遊技者にとって不利な表示態様から前記特別停止結果態様に移行させるための表示制御を行う図柄移行制御手段とを備え、
前記表示制御手段は、前記表示遊技をリーチ態様から開始する場合および、前記表示遊技を継続してリーチ態様から開始する場合を有し、
前記図柄移行制御手段は、前記可変表示装置における表示状態がリーチ態様から前記不利な表示態様になったとき、前記可変表示装置の表示領域全体を所定数の断片に分割可能な分割隠蔽図柄によって隠蔽し、その後、前記普通図柄表示装置における変動表示の結果として前記分割隠蔽図柄の分割数と等しい数値を表す図柄が表示されたことを条件に、前記分割隠蔽図柄を消滅させるとともにその背後から現われた表示領域で再変動表示を行って前記可変表示装置における表示態様を前記特別停止結果態様に移行させる
ことを特徴とする遊技機。
【請求項４】
前記断片を順次消滅させて前記分割隠蔽図柄を消滅させる
ことを特徴とする請求項１〜３の何れかに記載の遊技機。
【請求項５】
前記分割隠蔽図柄は、規則的な形状を有する複数の断片に分割されている
ことを特徴とする請求項１〜４の何れかに記載の遊技機。
【請求項６】
前記分割隠蔽図柄は、無秩序な形状の断片に分割されている
ことを特徴とする請求項１〜４の何れかに記載の遊技機。
【請求項７】
前記図柄移行制御手段は、前記可変表示装置における表示状態がリーチ態様から前記不利な表示態様になったとき、前記普通図柄始動条件の成立と等価な権利を自動発生させることを特徴とする請求項１〜６の何れかに記載の遊技機。
【請求項８】
前記図柄移行制御手段は、前記可変表示装置における表示状態がリーチ態様から遊技者にとって不利な表示態様になった時点で前記普通図柄表示装置において変動表示が行われていることを条件に稼動する
ことを特徴とする請求項１〜７の何れかに記載の遊技機。
【手続補正２】
【補正対象書類名】明細書
【補正対象項目名】０００９
【補正方法】削除
【補正の内容】
【手続補正３】
【補正対象書類名】明細書
【補正対象項目名】００１０
【補正方法】変更
【補正の内容】
【００１０】
【課題を解決するための手段】
かかる目的を達成するための本発明の要旨とするところは、次の各項の発明に存する。
［１］複数の識別情報を可変表示可能な可変表示装置（３１０）と、前記可変表示装置（３１０）の表示制御を行う表示制御手段（１００、３００）とを備え、所定条件の成立に基づき前記可変表示装置（３１０）上で識別情報を可変表示した後に可変表示を停止して複数の識別情報を停止表示する表示遊技を実行し、該表示遊技の実行結果の表示態様が予め定めた識別情報の組み合わせである特別停止結果態様になった場合に、所定の遊技価値を遊技者に付与可能な特別遊技状態を発生する遊技機において、
普通図柄始動条件の成立に基づいて識別情報を変動表示可能な普通図柄表示装置（１４０）と、前記可変表示装置（３１０）における表示状態を遊技者にとって不利な表示態様から前記特別停止結果態様に移行させるための表示制御を行う図柄移行制御手段（１００、３００）とを備え、
前記表示制御手段（１００、３００）は、前記表示遊技をリーチ態様から開始する場合および、前記表示遊技を継続してリーチ態様から開始する場合を有し、
前記図柄移行制御手段（１００、３００）は、前記可変表示装置（３１０）における表示状態がリーチ態様から前記不利な表示態様になったとき、前記可変表示装置（３１０）の表示領域全体を所定数の断片に分割可能な分割隠蔽図柄によって隠蔽し、その後、前記普通図柄表示装置（１４０）における変動表示の結果として前記分割隠蔽図柄の分割数と等しい数値を表す図柄が表示されたことを条件に、前記分割隠蔽図柄を消滅させ、その背後から現われた識別情報によって前記可変表示装置（３１０）における表示態様を前記特別停止結果態様に移行させる
ことを特徴とする遊技機。
【手続補正４】
【補正対象書類名】明細書
【補正対象項目名】００１１
【補正方法】変更
【補正の内容】
【００１１】
［２］複数の識別情報を可変表示可能な可変表示装置（３１０）と、前記可変表示装置（３１０）の表示制御を行う表示制御手段（１００、３００）とを備え、所定条件の成立に基づき前記可変表示装置（３１０）上で識別情報を可変表示した後に可変表示を停止して複数の識別情報を停止表示する表示遊技を実行し、該表示遊技の実行結果の表示態様が予め定めた識別情報の組み合わせである特別停止結果態様になった場合に、所定の遊技価値を遊技者に付与可能な特別遊技状態を発生する遊技機において、
普通図柄始動条件の成立に基づいて識別情報を変動表示可能な普通図柄表示装置（１４０）と、前記可変表示装置（３１０）における表示状態を遊技者にとって不利な表示態様から前記特別停止結果態様に移行させるための表示制御を行う図柄移行制御手段（１００、３００）とを備え、
前記表示制御手段（１００、３００）は、前記表示遊技をリーチ態様から開始する場合および、前記表示遊技を継続してリーチ態様から開始する場合を有し、前記図柄移行制御手段（１００、３００）は、前記可変表示装置（３１０）における表示状態がリーチ態様から前記不利な表示態様になったとき、前記不利な表示態様に係わる図柄の表示箇所を所定数の断片に分割可能な分割隠蔽図柄によって隠蔽し、その後、前記普通図柄表示装置（１４０）における変動表示の結果として前記分割隠蔽図柄の分割数と等しい数値を表す図柄が表示されたことを条件に、前記分割隠蔽図柄を消滅させるとともにその背後から現われた表示領域で再変動表示を行って前記可変表示装置（３１０）における表示態様を前記特別停止結果態様に移行させる
ことを特徴とする遊技機。
【手続補正５】
【補正対象書類名】明細書
【補正対象項目名】００１２
【補正方法】変更
【補正の内容】
【００１２】
［３］複数の識別情報を可変表示可能な可変表示装置（３１０）と、前記可変表示装置（３１０）の表示制御を行う表示制御手段（１００、３００）とを備え、所定条件の成立に基づき前記可変表示装置（３１０）上で識別情報を可変表示した後に可変表示を停止して複数の識別情報を停止表示する表示遊技を実行し、該表示遊技の実行結果の表示態様が予め定めた識別情報の組み合わせである特別停止結果態様になった場合に、所定の遊技価値を遊技者に付与可能な特別遊技状態を発生する遊技機において、
普通図柄始動条件の成立に基づいて識別情報を変動表示可能な普通図柄表示装置（１４０）と、前記可変表示装置（３１０）における表示状態を遊技者にとって不利な表示態様から前記特別停止結果態様に移行させるための表示制御を行う図柄移行制御手段（１００、３００）とを備え、
前記表示制御手段（１００、３００）は、前記表示遊技をリーチ態様から開始する場合および、前記表示遊技を継続してリーチ態様から開始する場合を有し、前記図柄移行制御手段（１００、３００）は、前記可変表示装置（３１０）における表示状態がリーチ態様から前記不利な表示態様になったとき、前記可変表示装置（３１０）の表示領域全体を所定数の断片に分割可能な分割隠蔽図柄によって隠蔽し、その後、前記普通図柄表示装置（１４０）における変動表示の結果として前記分割隠蔽図柄の分割数と等しい数値を表す図柄が表示されたことを条件に、前記分割隠蔽図柄を消滅させるとともにその背後から現われた表示領域で再変動表示を行って前記可変表示装置（３１０）における表示態様を前記特別停止結果態様に移行させる
ことを特徴とする遊技機。
【手続補正６】
【補正対象書類名】明細書
【補正対象項目名】００１３
【補正方法】変更
【補正の内容】
【００１３】
［４］前記断片を順次消滅させて前記分割隠蔽図柄を消滅させる
ことを特徴とする［１］〜［３］の何れかに記載の遊技機。
【手続補正７】
【補正対象書類名】明細書
【補正対象項目名】００１４
【補正方法】変更
【補正の内容】
【００１４】
［５］前記分割隠蔽図柄は、規則的な形状を有する複数の断片に分割されている
ことを特徴とする［１］〜［４］の何れかに記載の遊技機。
【手続補正８】
【補正対象書類名】明細書
【補正対象項目名】００１５
【補正方法】変更
【補正の内容】
【００１５】
［６］前記分割隠蔽図柄は、無秩序な形状の断片に分割されている
ことを特徴とする［１］〜［４］の何れかに記載の遊技機。
【手続補正９】
【補正対象書類名】明細書
【補正対象項目名】００１６
【補正方法】変更
【補正の内容】
【００１６】
［７］前記図柄移行制御手段（１００、３００）は、前記可変表示装置（３１０）における表示状態がリーチ態様から前記不利な表示態様になったとき、前記普通図柄始動条件の成立と等価な権利を自動発生させる
ことを特徴とする［１］〜［６］の何れかに記載の遊技機。
【手続補正１０】
【補正対象書類名】明細書
【補正対象項目名】００１７
【補正方法】変更
【補正の内容】
【００１７】
［８］前記図柄移行制御手段（１００、３００）は、前記可変表示装置（３１０）における表示状態がリーチ態様から遊技者にとって不利な表示態様になった時点で前記普通図柄表示装置（１４０）において変動表示が行われていることを条件に稼動する
ことを特徴とする［１］〜［７］の何れかに記載の遊技機。